(57)【要約】【課題】放電終了時の単電池間の充電容量のばらつきを補正でき、安定した電力供給ができる組電池用の充電方法及び充電制御装置を提供する。【解決手段】  本発明の組電池用の充電制御装置１は、複数の単電池を含む組電池１０と、該組電池１０に接続された充電回路１１と、複数の単電池１０ａ，１０ｂのそれぞれの電圧値を測定する電圧値測定回路１２と、該電圧値測定回路１２から得られた放電終了時の各単電池１０ａ，１０ｂの電圧値のうち最も高い電圧値と、それよりも低い電圧値との差異電圧を記憶する差異電圧記憶回路１３と、該差異電圧記憶回路１３に記憶された差異電圧に応じて、低い電圧値の単電池の電圧値を、現実の電圧値よりも低い仮想電圧値に設定する仮想電圧値設定回路１４と、を備える。【選択図】図１
2013150452.tif 000002
【特許請求の範囲】
【請求項１】
複数の蓄電素子と、
前記各蓄電素子の電圧を測定する電圧値測定回路と、
前記蓄電素子を充電する充電回路と、
前記蓄電素子の差異電圧を記憶する差異電圧記憶回路と、を有し、
前記各蓄電素子のうち電圧が低い蓄電素子に対して、前記各蓄電素子のうち電圧が高い蓄電素子よりも、高い電圧値になるよう充電する充電方法。
【請求項２】
複数の蓄電素子を有する組蓄電素子と、
充電器を含み、前記組蓄電素子に接続される充電回路と、
前記蓄電素子のそれぞれの電圧値を測定する電圧値測定回路と、
該電圧値測定回路による測定結果から得られた放電終了時の各蓄電素子の電圧値のうちの最も高い電圧値と、それよりも低い電圧値との差異電圧を記憶する差異電圧記憶回路と、
前記低い電圧値の蓄電素子の電圧値を、現実の電圧値よりも低い仮想電圧値に設定する仮想電圧値設定回路と、を備え、
前記充電回路は、前記低い電圧値の蓄電素子に対して、前記仮想電圧値設定回路によって設定された前記仮想電圧値から満充電時の電圧値まで充電するとともに、前記最も高い電圧値の蓄電素子に対して、現実の電圧値から満充電時の電圧値まで充電するように構成されている充電制御装置。
【請求項３】
前記複数の蓄電素子のそれぞれの充電状態を制御する制御回路をさらに備え、前記充電回路は、前記複数の蓄電素子のそれぞれに対応した複数の回避経路を備え、前記制御回路は、満充電になった蓄電素子を回避して該蓄電素子に対応する前記回避経路に前記充電器からの電流を流すように制御する請求項２に記載の充電制御装置。
【発明の詳細な説明】
【技術分野】
【０００１】
本発明は、互いに電気的に接続された複数の蓄電素子（例えば、単電池やキャパシタなど、以下、電池とする）を含む組電池の充電を制御する方法及び組電池用の充電制御装置に関する。
【背景技術】
【０００２】
近年、二輪電動車や、電気自動車（ＥＶ）、ハイブリッド電気自動車（ＨＥＶ）等の各種機器の電源として、互いに電気的に接続された複数の単電池を含む組電池が採用されている。
【０００３】
かかる組電池は、充電器を含む充電回路に接続される。これにより、組電池を構成する単電池のそれぞれが充電される。この種の組電池では、各単電池の製造誤差や、各単電池の配置環境（例えば、温度分布の違い等）によって、各単電池における放電性能が異なる。そのため、放電終了時に、単電池のそれぞれで電圧値が異なっている。すなわち、単電池間で電圧値のばらつきを生じる。これに伴い、組電池を充電する時に、単電池毎に充電量を変え、各単電池の満充電時における充電バランスを整える補正機能付き充電回路が提供されている（例えば、特許文献１参照）。
【０００４】
この種の補正機能付き充電回路は、充電器を含む充電回路であって、組電池を構成する単電池に接続される充電回路と、単電池毎に設けられたバイパス回路と、を備える。
【０００５】
かかる補正機能付き充電回路は、単電池毎に設けられたバイパス回路によって単電池の放電容量に応じた電流を逃がすことで、単電池のそれぞれに応じた充電容量で充電し、全ての単電池が均一の満充電状態になるように構成されている。
【先行技術文献】
【特許文献】
【０００６】
【特許文献１】特開平９−１８２３０７号公報
【発明の概要】
【発明が解決しようとする課題】
【０００７】
しかしながら、上記補正機能付き充電回路を採用しても、安定した電力供給ができないという問題がある。より具体的には、組電池を構成する複数の単電池のそれぞれは、上述のように、固有の放電性能を有する。そのため、全ての単電池が均一の満充電状態にされても、組電池の放電終了時に、単電池のそれぞれの電圧値が異なる。すなわち、放電終了時に、放電が完了した単電池や、放電が完了していない単電池が混在してしまう。そのため、放電終了時において単電池間の出力電圧にばらつきが生じ、安定した電力供給ができないという問題があった。また、複数の単電池のうち一つでも放電が完了すると過放電防止のために全体の放電を停止させるので、想定した放電量が確保できないという問題も発生する。
【０００８】
そこで、本発明は、斯かる実情に鑑み、放電終了時に単電池のそれぞれの電圧値が均一又は略均一になるように、単電池のそれぞれを充電でき、安定して電力を供給することのできる組電池用の充電方法及び充電制御装置を提供することを課題とする。
【課題を解決するための手段】
【０００９】
本発明に係る組電池用の充電方法は、複数の蓄電素子と、前記各蓄電素子の電圧を測定する電圧値測定回路と、前記蓄電素子を充電する充電回路と、前記蓄電素子の差異電圧を記憶する差異電圧記憶回路と、を有し、前記各蓄電素子のうち電圧が低い蓄電素子に対して、前記各蓄電素子のうち電圧が高い蓄電素子よりも、高い電圧値になるよう充電する。
【００１０】
上記構成の組電池用の充電方法によれば、各蓄電素子としての電池のうち電圧が低い電池に対して、各電池のうち電圧が高い電池よりも、高い電圧値になるよう充電するため、組電池を構成する単電池が放電するにあたって、放電終了時に、高い電圧値の単電池と低い電圧値の単電池とが、同じ又は略同じ電圧値で終了する。従って、組電池を構成する複数の単電池がバランス良く放電し、安定した出力を供給することができる。
【００１１】
本発明に係る組電池用の充電制御装置は、複数の蓄電素子を有する組蓄電素子と、充電器を含み、前記組蓄電素子に接続される充電回路と、前記蓄電素子のそれぞれの電圧値を測定する電圧値測定回路と、該電圧値測定回路による測定結果から得られた放電終了時の各蓄電素子の電圧値のうちの最も高い電圧値と、それよりも低い電圧値との差異電圧を記憶する差異電圧記憶回路と、前記低い電圧値の蓄電素子の電圧値を、現実の電圧値よりも低い仮想電圧値に設定する仮想電圧値設定回路と、を備え、前記充電回路は、前記低い電圧値の蓄電素子に対して、前記仮想電圧値設定回路によって設定された前記仮想電圧値から満充電時の電圧値まで充電するとともに、前記最も高い電圧値の蓄電素子に対して、現実の電圧値から満充電時の電圧値まで充電するように構成されている。
【００１２】
上記構成の組電池用の充電制御装置によれば、低い電圧値の蓄電素子としての単電池は、仮想電圧値設定回路によって設定された仮想電圧値を基準にして充電を開始されるため、最も高い電圧値の単電池よりも、差異電圧に応じた分だけ余分に充電される。従って、組電池を構成する単電池が放電するにあたって、放電終了時に、最も高い電圧値の単電池と低い電圧値の単電池とが、同じ又は略同じ電圧値で終了する。従って、組電池を構成する複数の単電池がバランス良く放電し、安定した出力を供給することができる。また、放電終了時に単電池のうち何れかの単電池の放電が完了しても、放電が完了していない単電池の放電は停止されないため、想定した放電量が確保できる。
【００１３】
本発明の他態様として、前記複数の蓄電素子のそれぞれの充電状態を制御する制御回路をさらに備え、前記充電回路は、前記複数の蓄電素子のそれぞれに対応した複数の回避経路を備え、前記制御回路は、満充電になった蓄電素子を回避して該蓄電素子に対応する前記回避経路に前記充電器からの電流を流すように制御することが好ましい。
【００１４】
上記構成の組電池用の充電制御装置によれば、蓄電素子としての組電池の充電時において、満充電になった単電池を回避して該単電池に対応する前記回避経路に前記充電器からの電流を流すことで、該単電池が過充電されないようにすることができる。その一方で、満充電時の電圧値まで充電されていない単電池と対応する回避経路には充電器からの電流が流れることなく、該単電池が満充電時の電圧値まで充電される。
【発明の効果】
【００１５】
以上のように、本発明の組電池用の充電方法及び充電制御装置によれば、放電終了時に単電池のそれぞれの電圧値が均一又は略均一になるように、単電池のそれぞれを充電でき、安定して電力を供給することのできるといった優れた効果を奏し得る。
【図面の簡単な説明】
【００１６】
【図１】本発明の一実施形態に係る組電池用の充電制御装置のブロック図を示す。
【図２】同実施形態に係る組電池用の充電制御装置による組電池を構成する単電池の充電状態の説明図を示す。
【発明を実施するための形態】
【００１７】
以下、本発明の一実施形態に係る組電池用の充電制御装置について、添付図面を参照しつつ説明する。
【００１８】
本実施形態に係る組電池用の充電制御装置は、二輪電動車や、電気自動車（ＥＶ）、ハイブリッド電気自動車（ＨＥＶ）、各種機器の電源として採用される組電池の充電状態を制御するものである。ここで、組電池について概略を説明すると、図１に示す如く、組電池１０は、複数の単電池１０ａ，１０ｂを含む。該組電池１０において、複数の単電池１０ａ，１０ｂ・・・は、直列に接続されている。なお、図１に示す組電池１０は、２個の単電池１０ａ，１０ｂを含み、該２個の単電池１０ａ，１０ｂが直列に接続されて構成されている。本実施形態において、複数の単電池１０ａ，１０ｂ・・・（２個の単電池１０ａ，１０ｂ）のそれぞれには、非水電解二次電池（リチウムイオン電池等）が採用されている。
【００１９】
本実施形態に係る組電池用の充電制御装置は、図１に示す如く、充電器１１ａを含む充電回路１１であって、組電池１０に接続される充電回路１１と、を備える。また、本実施形態に係る組電池用の充電制御装置１は、複数の単電池１０ａ，１０ｂ・・・（２個の単電池１０ａ，１０ｂ）のそれぞれの電圧値を測定する電圧値測定回路１２と、該電圧値測定回路１２による測定結果から得られた放電終了時の各単電池１０ａ，１０ｂ・・・の電圧値のうちの最も高い電圧値と、それよりも低い電圧値との差異電圧を記憶する差異電圧記憶回路１３と、該差異電圧記憶回路１３に記憶された差異電圧に応じて、上記低い電圧値の単電池の電圧値を、現実の電圧値よりも低い仮想電圧値に設定する仮想電圧値設定回路１４と、を備える。さらに、本実施形態に係る組電池用の充電制御装置１は、複数の単電池１０ａ，１０ｂ・・・のそれぞれの充電状態を制御する制御回路１６を備える。
【００２０】
充電回路１１は、組電池１０（複数の単電池１０ａ，１０ｂ）と、充電器１１ａとを直列に接続している。これにより、充電回路１１は、組電池１０を構成する複数の単電池１０ａ，１０ｂを充電できるように構成されている。本実施形態において、充電回路１１は、複数の単電池１０ａ，１０ｂのそれぞれに対応した複数の回避経路１５を備える。
【００２１】
本実施形態において、複数の回避経路１５のそれぞれは、充電器１１ａからの電流の向きを規制するバランス抵抗１５ａと、当該回避経路１５の開閉を行うスイッチ１５ｂとを備える。これにより、複数の回避経路１５のそれぞれは、対応する単電池１０ａ，１０ｂを回避して充電器１１ａからの電流が流れる状態にできるようになっている。具体的には、複数の回避経路１５のそれぞれは、スイッチ１５ｂが閉になった状態で連通した状態になり、バランス抵抗１５ａの機能により、充電器１１ａの電流が対応する単電池１０ａ，１０ｂを回避して流れるようになっている。
【００２２】
本実施形態において、複数の回避経路１５のそれぞれは、対応する単電池１０ａ，１０ｂの上流側及び下流側に接続されている。本実施形態に係る組電池１０は、二つの単電池１０ａ，１０ｂを含むため、回避経路１５は、単電池１０ａ，１０ｂに対応して二つ設けられている。二つの回避経路１５，１５のうちの一方の回避経路１５の上流側が、対応する単電池１０ａの上流側に接続され、二つの回避経路１５，１５のうちの他方の回避経路１５の下流側が、対応する単電池１０ｂの下流側に接続されている。そして、二つの回避経路１５，１５のうちの一方の回避経路１５の下流側と他方の回避経路１５の上流側とが合流し、二つの単電池１０ａ，１０ｂ間に接続されている。
【００２３】
電圧値測定回路１２は、組電池１０に電気的に接続されている。本実施形態において、電圧値測定回路１２は、充電回路１１における組電池１０の上流側及び下流側と、組電池１０を構成する複数の単電池１０ａ，１０ｂの間とに接続されている。これにより、電圧値測定回路１２は、組電池１０を構成する複数の単電池１０ａ，１０ｂのそれぞれの電圧値を測定可能になっている。本実施形態に係る電圧値測定回路１２は、組電池１０の放電開始時から放電終了時まで、複数の単電池１０ａ，１０ｂ・・・（２個の単電池１０ａ，１０ｂ）の電圧値を測定するように構成されている。
【００２４】
差異電圧記憶回路１３は、電圧値測定回路１２に電気的に接続されている。すなわち、差異電圧記憶回路１３は、電圧値測定回路１２から各単電池１０ａ，１０ｂの電圧値に関する信号が入力されるようになっている。また、本実施形態に係る差異電圧記憶回路１３は、電圧値測定回路１２による測定結果（入力される信号）から得られた複数の単電池１０ａ，１０ｂにおける放電終了時の電圧値を認識し、最も高い電圧値と、それよりも低い電圧値とを把握する。さらに、本実施形態に係る差異電圧記憶回路１３は、最も高い電圧値と、それよりも低い電圧値との差異電圧を算出して記憶するようになっている。
【００２５】
仮想電圧値設定回路１４は、電圧値測定回路１２、差異電圧記憶回路１３、及び制御回路１６に電気的に接続されている。すなわち、仮想電圧値設定回路１４は、電圧値測定回路１２から各単電池１０ａ，１０ｂの電圧値に関する信号が入力されるようになっている。また、仮想電圧値設定回路１４は、差異電圧記憶回路１３から該差異電圧記憶回路１３が記憶した差異電圧に関する信号が入力されるようになっている。そして、本実施形態に係る仮想電圧値設定回路１４は、上述のように、電圧値測定回路１２から入力された信号に基づいて低い電圧値と認定された単電池１０ａ，１０ｂを認識し、放電終了時において差異電圧記憶回路１３に記憶された差異電圧を、該差異電圧に対応する充電容量（電気容量）に変換（換算）し、低い電圧値と認定された単電池１０ａ，１０ｂの電圧値を、該電圧値に対応する充電容量（電気容量）に変換（換算）し、それらの充電容量（電気容量）に応じて、低い電圧値と認定された単電池１０ａ，１０ｂの電圧値として現実の電圧値よりも低い仮想電圧値を設定する。
【００２６】
より具体的には、仮想電圧値設定回路１４は、最も高い電圧値以外の電圧値に対応する充電容量（電気容量）から、差異電圧記憶回路１３に記憶された上記差異電圧に対応する充電容量（電気容量）を差し引き、その充電容量（電気容量）に対応する電圧を、最も高い電圧値以外の単電池１０ａ，１０ｂの電圧値から差し引くことで、該最も高い電圧値以外の電圧値の単電池１０ａ，１０ｂに対して仮想電圧値を設定する。これにより、仮想電圧値の設定された単電池１０ａ，１０ｂの電圧値が、電圧値測定回路１２で測定された現実の電圧値よりも低く認識される。
【００２７】
制御回路１６は、満充電になった単電池１０ａ，１０ｂを回避して該単電池１０ａ，１０ｂに対応する回避経路に前記充電器１１ａからの電流を流すように制御するように構成されている。より具体的には、制御回路１６は、仮想電圧値設定回路１４に電気的に接続されている、すなわち、制御回路１６は、仮想電圧値設定回路１４から仮想電圧値に関する信号が入力されるようになっている。本実施形態において、制御回路１６は、電圧値測定回路１２によって測定された最も高い電圧値の単電池１０ａ，１０ｂの現実の電圧値の信号が仮想電圧値設定回路１４によって仮想電圧値が設定されずに入力されるようになっている。
【００２８】
また、制御回路１６は、複数の回避経路１５のそれぞれに電気的に接続されている。具体的には、制御回路１６は、複数の回避経路１５のそれぞれのスイッチ１５ｂ，１５ｂに電気的に接続されている。すなわち、制御回路１６は、スイッチ１５ｂのオンオフを切り替えるための信号を入力する。本実施形態に係る制御回路１６は、仮想電圧値設定回路１４からの仮想電圧値に関する信号及び仮想電圧値の設定されていない最も高い現実の電圧値に関する信号を基に各単電池１０ａ，１０ｂが満充電か否かを判断する。そして、制御回路１６は、入力された信号（電圧値）が単電池１０ａ，１０ｂの満充電時の既定の電圧値と判断した場合に、その信号に対応する単電池１０ａ，１０ｂに対応する回避経路１５のスイッチ１５ｂに対して、そのスイッチ１５ｂを閉にする信号を入力するようになっている。これによって、複数の回避経路１５，１５のそれぞれのスイッチ１５ｂ，１５ｂは、対応する単電池１０ａ，１０ｂの電圧値（最も高い現実の電圧値又は仮想電圧値）が既定の満充電時の電圧値になった時に閉になって、自己の存在する回避経路１５を連通させる。これによって、複数の回避経路１５，１５のそれぞれは、満充電になった単電池１０ａ，１０ｂを回避して充電器１１ａからの電流が流れる状態になる。
【００２９】
本実施形態に係る組電池用の充電制御装置１の構成についての説明は以上の通りであり、次に、本実施形態に係る組電池用の充電制御装置１の充電方法、並びに、作用及び効果について、従来の充電回路による充電及び放電と比較しつつ説明する。なお、以下の説明において、上述のように、組電池が２つの単電池１０ａ，１０ｂを備えることを前提に説明する。また、便宜上、２つの単電池１０ａ，１０ｂのうちの一方の単電池が他方の単電池に比べて、放電終了時の電圧値が高いことを前提に説明する。また、図２において、第一曲線（破線）ａは、一方の単電池における充電時の電圧値変化であって、従来の充電回路又は本実施形態の組電池用の充電制御装置１による充電時の電圧値変化を示し、第二曲線（一点鎖線）ｂは、他方の単電池における充電時の電圧値変化であって、従来の充電回路による充電時の電圧値変化を示し、第三曲線（実線）ｃは、他方の単電池における充電時の電圧値変化であって、本実施形態の組電池用の充電制御装置１による充電時の電圧値変化を示す。
【００３０】
従来の充電回路は、一方の単電池を、何ら制御することなく充電を開始すると、図２の第一曲線（破線）ａに示すように、充電器によって放電終了時における現実の電圧値Ｖ１から既定の満充電時の電圧値Ｖｍａｘまで充電する。また、従来の充電回路は、他方の単電池を、何ら制御することなく充電を開始し、図２の第二曲線（一点鎖線）ｂに示すように、充電器によって放電終了時における現実の電圧値Ｖ２から既定の満充電時の電圧値Ｖｍａｘまで充電する。従って、従来の充電回路で充電された組電池の複数の単電池のそれぞれは、相対的な充電状態が同じになる結果、放電する度に同じ放電状態になる。従って、他方の単電池は、一方の単電池と異なる放電状態になり、単電池間の出力にばらつきが生じる。
【００３１】
これに対し、本実施形態に係る組電池用の充電制御装置１においては、差異電圧記憶回路１３は、先の放電終了時において電圧値測定回路１２によって測定された一方の単電池１０ａの電圧値Ｖ１と、他方の単電池１０ｂの電圧値Ｖ２との差異電圧ΔＶを記憶している。
【００３２】
そして、仮想電圧値設定回路１４は、放電終了時において差異電圧記憶回路１３によって記憶された差異電圧ΔＶを、該差異電圧に対応する充電容量（電気容量）に変換（換算）する。次に、仮想電圧値設定回路１４は、他方の単電池１０ｂの現実の電圧値（電圧値測定回路１２によって測定された電圧値）Ｖ２を、該電圧値Ｖ２に対応する充電容量（電気容量）に変換（換算）する。次に、仮想電圧値設定回路１４は、差異電圧ΔＶに対応する充電容量（電気容量）を、電圧値Ｖ２に対応する充電容量（電気容量）から差し引いて、その充電容量（電気容量）に対応する電圧値に変換する。そして、仮想電圧値設定回路１４は、該電圧値で、他方の単電池１０ｂの電圧値として、仮想電圧値Ｖ３を設定する。そうすることで、放電終了時における他方の単電池１０ｂの電圧値としての仮想電圧値Ｖ３が、電圧値測定回路１２で測定された現実の電圧値Ｖ２よりも低く設定される。
【００３３】
そして、充電回路１１は、第一曲線ａに示すように、一方の単電池１０ａを、現実の電圧値Ｖ１から満充電時の電圧値Ｖｍａｘまで充電するとともに、第三曲線ｃに示すように、他方の単電池１０ｂを仮想電圧値Ｖ３から満充電時の電圧値Ｖｍａｘまで充電する。
【００３４】
従って、一方の単電池１０ａは、第一曲線ａに示すように、既定の満充電時における電圧値Ｖｍａｘまで充電される。これに対して、他方の単電池１０ｂは、上述のように、現実の電圧値Ｖ２よりも低い仮想電圧値Ｖ３から充電が開始されているため、満充電であるとして充電が停止された時の現実の電圧値が、第三曲線ｃに示すように、本来の満充電時の電圧値Ｖｍａｘよりも高くなる。従って、他方の単電池１０ｂが一方の単電池１０ａよりも差異電圧ΔＶだけ余分に充電される。すなわち、本実施形態に係る充電方法では、各単電池１０ａ,１０ｂのうち電圧が低い単電池１０ｂに対して、各単電池１０ａ,１０ｂのうち電圧が高い単電池１０ａよりも、高い電圧値になるよう充電される。これにより、組電池１０を構成する単電池１０ａ，１０ｂが放電するにあたって、放電終了時に、一方の単電池１０ａと他方の単電池１０ｂとが、同じ又は略同じ電圧値で終了する。従って、組電池１０を構成する複数の単電池１０ａ，１０ｂがバランス良く放電し、安定した出力を供給する。
【００３５】
なお、特に言及しなかったが、上述のように２つの単電池１０ａ，１０ｂのうちの何れか一方が制御回路１６によって満充電と認識された場合、該制御回路１６からの信号によって満充電と認識された単電池１０ａ，１０ｂと対応する回避経路１５，１５のスイッチ１５ｂが閉状態にされ、満充電になった単電池１０ａ，１０ｂに対する充電が停止され、満充電に到達していない単電池１０ａ，１０ｂのみが充電される。
【００３６】
以上のように、本実施形態に係る組電池用の充電方法によれば、各蓄電素子としての電池のうち電圧が低い電池に対して、各電池のうち電圧が高い電池よりも、高い電圧値になるよう充電するため、組電池を構成する単電池が放電するにあたって、放電終了時に、高い電圧値の単電池と低い電圧値の単電池とが、同じ又は略同じ電圧値で終了する。従って、組電池を構成する複数の単電池がバランス良く放電し、安定した出力を供給することができるといった優れた効果を奏し得る。
【００３７】
本実施形態に係る組電池用の充電制御装置１によれば、放電終了時に単電池１０ａ，１０ｂのそれぞれの電圧値が均一又は略均一になるように、単電池１０ａ，１０ｂのそれぞれを充電でき、安定して電力を供給することのできるといった優れた効果を奏し得る。また、放電終了時に単電池１０ａ，１０ｂのうち何れかの単電池１０ａ又は１０ｂの放電が完了しても、放電が完了していない単電池単電池１０ｂ又は１０ａの放電は停止されないため、想定した放電量が確保できるといった優れた効果を奏し得る。
【００３８】
また、本実施形態に係る組電池用の充電制御装置１によれば、制御回路１６が満充電になった単電池１０ａ，１０ｂを回避して該単電池１０ａ，１０ｂに対応する回避経路１５に充電器１１ａからの電流を流すように制御するため、満充電になった単電池１０ａ，１０ｂが過充電されることを防止しつつ、満充電でない単電池１０ａ，１０ｂを満充電まで適正に充電することができる。
【００３９】
尚、本発明は、上記実施形態に限定されるものではなく、本発明の要旨を逸脱しない範囲において種々変更を行うことは勿論である。
【００４０】
上記実施形態において、組電池１０は、２個の単電池１０ａ，１０ｂを含んだが、これに限定されない。例えば、組電池１０は、用途に応じて、３個以上の単電池を含んでもよい。
【００４１】
上記実施形態において、低い電圧値の単電池（他方の単電池１０ｂ）に対して、仮想電圧値設定回路１４によって設定された仮想電圧値から満充電時の電圧値まで充電することで、本来の満充電時での電圧値Ｖｍａｘよりも高い電圧値まで充電するようにしているが、係る単電池１０ａ、１０ｂが過剰に充電されないように、Ｖｍａｘ以上の限界電圧値（単電池１０ａ，１０ｂを破損させない程度の電圧値）で充電するようにしてもよい。
【００４２】
上記実施形態において、仮想電圧値設定回路１４は、放電終了時において差異電圧記憶回路１３に記憶された差異電圧ΔＶを、該差異電圧ΔＶに対応する充電容量（電気容量）に変換（換算）し、低い電圧値と認定された単電池１０ｂの電圧値を、該電圧値に対応する充電容量（電気容量）に変換（換算）し、それらの充電容量（電気容量）に応じて、低い電圧値と認定された単電池１０ｂの電圧値として現実の電圧値よりも低い仮想電圧値を設定するようにしたが、これに限定されない。放電終了時において差異電圧記憶回路１３に記憶された差異電圧ΔＶを、該差異電圧ΔＶに対応する充電容量（電気容量）に変換（換算）し、低い電圧値と認定された単電池１０ｂの電圧値を、該電圧値に対応する充電容量（電気容量）に変換（換算）する構成を、別途設けるようにしてもよい。
【００４３】
上記実施形態において、低い電圧値の単電池（他方の単電池１０ｂ）に対して、仮想電圧値を設定するにあたって、現実の電圧値に対応する充電容量（電気容量）から差異電圧記憶回路１３に記憶した差異電圧ΔＶに対応する充電容量（電気容量）を差し引いたが、これに限定されない。例えば、現実の電圧値に対応する充電容量（電気容量）から差異電圧ΔＶよりも高い電圧値に対応する充電容量（電気容量）を差し引いて、仮想電圧値Ｖ３を設定してもよいし、現実の電圧値に対応する充電容量（電気容量）から差異電圧ΔＶよりも低い電圧値に対応する充電容量（電気容量）を差し引いて、仮想電圧値Ｖ３を設定してもよい。ただし、仮想電圧値Ｖ３は、放電終了時において高い電圧値の単電池の電圧値とバランスを図ることのできる範囲に設定されることは勿論である。
【００４４】
上記実施形態において、複数の単電池１０ａ，１０ｂ・・・には、非水電解二次電池（リチウムイオン電池等）が採用されているが、これに限定されない。例えば、複数の単電池１０ａ，１０ｂ・・・には、鉛蓄電池や水素イオン電池等が採用されてもよい。
【符号の説明】
【００４５】
１…組電池用の充電制御装置、１０…組電池、１０ａ，１０ｂ…単電池、１１…充電回路、１１ａ…充電器、１２…電圧値測定回路、１３…差異電圧記憶回路、１４…仮想電圧値設定回路、１５…回避経路、１５ａ…バランス抵抗、１５ｂ…スイッチ、１６…制御回路
【図１】
2013150452.tif 000003
【図２】
2013150452.tif 000004